(57)【要約】【課題】記録媒体に番組予約録画情報として記録されている予約チャンネルが、番組記録装置（タイマー予約録画設定装置）に備えられている選局用チャンネルデータと異なる場合には、ユーザに案内する。【解決手段】予約の中に、チューナ部１４の選局用チャンネルデータに未登録のチャンネルがあれば、表示部１３に予約チャンネルの数字とは違った“−−”として表示されるから、ユーザは未登録チャンネルの存在を容易に確認することができる。【選択図】  図２
2004236206.tif 000002
【特許請求の範囲】
【請求項１】
記録媒体に記録された番組予約録画情報の読取手段と、
該読取手段により読み取られた番組予約録画情報の予約チャンネルが選局用チャンネルデータに登録されているか否かを確認する予約チャンネル確認手段と、
該予約チャンネル確認手段による未登録確認を報知する報知手段と
を備えていることを特徴とするタイマー予約録画設定装置。
【請求項２】
前記報知手段は、前記読取手段によって読み取られた番組予約録画情報の確認表示手段であることを特徴とする請求項１記載のタイマー予約録画設定装置。
【請求項３】
前記確認表示手段は、番組予約録画情報の予約チャンネルを表示しないことを特徴とする請求項２記載のタイマー予約録画設定装置。
【請求項４】
記録媒体に記録された番組予約録画情報の読取手段と、
該読取手段により読み取られた番組予約録画情報の予約チャンネルが選局用チャンネルデータに登録されているか否かを確認する予約チャンネル確認手段と、
該予約チャンネル確認手段による未登録確認により当該番組予約録画情報の実行を禁止する禁止手段と
を備えていることを特徴とするタイマー予約録画設定装置。
【請求項５】
記録媒体に記録された番組予約録画情報の読取手段と、
該読取手段により読み取られた番組予約録画情報の予約チャンネルが選局用チャンネルデータに登録されているか否かを確認する予約チャンネル確認手段と、
該予約チャンネル確認手段による未登録確認により当該番組録画予約情報の実行を禁止する禁止手段と、
該予約チャンネル確認手段によって未登録確認された予約チャンネルに対応する選局用チャンネルデータの入力を検出し、該禁止手段による当該番組予約録画情報の実行禁止を解除する復帰手段と
を備えていることを特徴とするタイマー予約録画設定装置。
【発明の詳細な説明】
【０００１】
【発明の属する技術分野】
本発明は、記録媒体に記録された番組予約録画情報に基づき、所望の番組を受信し、記録媒体に記録する番組記録装置のタイマー予約録画設定装置に関する。
【０００２】
【従来の技術】
従来、番組記録装置の例として、ＶＴＲ（Ｖｉｄｅｏ  Ｔａｐｅ  Ｒｅｃｏｒｄｅｒ）が知られている。ＶＴＲには、予め設定された時間になると内蔵したチューナにより所望の番組の録画を自動的に開始するタイマー予約録画機能が備えられている。
【０００３】
このようにタイマー予約録画機能を備えたＶＴＲにおいては、番組予約録画情報は、録画を行うＶＴＲ本体に設定保存される構成になっている。
このＶＴＲに対し、最近は、番組記録装置としてＤＶＤ（Ｄｉｇｉｔａｌ  Ｖｅｒｓａｔｉｌｅ  Ｄｉｓｃ）レコーダが普及しつつある。
【０００４】
このＤＶＤレコーダにおいては、上述したＶＴＲと違って、ＤＶＤ−ＲＷディスクのＶＲフォーマットで初期化したものにあっては、番組予約録画情報をＤＶＤレコーダ本体にではなく、記録媒体としてのＤＶＤディスクに保存することもできるようになっている。
【０００５】
この結果、タイマー予約録画においては、タイマー予約録画の都度に、リモコンを操作する等してＤＶＤレコーダ自体に番組予約録画情報を設定せずとも、番組予約録画情報が記録されたＤＶＤディスクをＤＶＤレコーダに装填するだけで、タイマー予約録画が行える。
【０００６】
また、ＤＶＤディスクに番組予約録画情報が記録されているので、番組予約録画情報が記録されたＤＶＤディスクを外部のＤＶＤレコーダに持ち出し、出先の他のＤＶＤレコーダに装填することによっても、タイマー予約録画を行うことができる。
【０００７】
この場合、ＤＶＤディスクには、番組予約録画情報として、番組名，曜日又は日付，予約チャンネル，予約録画開始時刻，予約録画終了時刻といった予約情報が保存される。
【特許文献１】
特開平１１−２１３６２７号公報
【０００８】
【発明が解決しようとする課題】
しかしながら、この利点を生かし、番組予約録画情報が記録されたＤＶＤディスクを用いて出先の他のＤＶＤレコーダでタイマー予約録画を行ってみると、番組予約録画情報に基づく所望の番組が録画できなかったり、所望の番組と全く違った番組が記録されてしまっている、という問題点があった。
【０００９】
これは、ＤＶＤディスクに番組予約録画情報として記録されている予約チャンネルが、外部の装填されたＤＶＤレコーダが備えている選局用チャンネルデータに存在しないことによって起きるものである。
【００１０】
本発明は上述した問題点を鑑みなされたもので、記録媒体（ＤＶＤディスク）に番組予約録画情報として記録されている予約チャンネルが、番組記録装置（ＤＶＤレコーダ）に備えられている選局用チャンネルデータに存在しない場合には、ユーザに案内し、所望の番組が録画できなかったり、所望の番組と全く違った番組が記録されてしまうのを未然に防ぐことができるタイマー予約録画設定装置を提供することを目的とする。
【００１１】
【課題を解決するための手段】
上記目的を達成するために、本発明のタイマー予約録画設定装置は、記録媒体に記録された番組予約録画情報の読取手段と、該読取手段により読み取られた番組予約録画情報の予約チャンネルが選局用チャンネルデータに登録されているか否かを確認する予約チャンネル確認手段と、該予約チャンネル確認手段による未登録確認を報知する報知手段とを備えていることを特徴とする。
【００１２】
また、本発明のタイマー予約録画設定装置では、前記報知手段は、前記読取手段によって読み取られた番組予約録画情報の確認表示手段であることを特徴とする。
また、本発明のタイマー予約録画設定装置は、前記確認表示手段は、番組予約録画情報の予約チャンネルを表示しないことを特徴とする。
【００１３】
また、本発明のタイマー予約録画設定装置は、記録媒体に記録された番組予約録画情報の読取手段と、該読取手段により読み取られた番組予約録画情報の予約チャンネルが選局用チャンネルデータに登録されているか否かを確認する予約チャンネル確認手段と、該予約チャンネル確認手段による未登録確認により当該番組予約録画情報の実行を禁止する禁止手段とを備えていることを特徴とする。
【００１４】
また、本発明のタイマー予約録画設定装置は、記録媒体に記録された番組予約録画情報の読取手段と、該読取手段により読み取られた番組予約録画情報の予約チャンネルが選局用チャンネルデータに登録されているか否かを確認する予約チャンネル確認手段と、該予約チャンネル確認手段による未登録確認により当該番組予約録画情報の実行を禁止する禁止手段と、該予約チャンネル確認手段によって未登録確認された予約チャンネルに対応する選局用チャンネルデータの入力を検出し、該禁止手段による当該番組予約録画情報の実行禁止を解除する復帰手段とを備えていることを特徴とする。
【００１５】
【発明の実施の形態】
以下、添付図面を参照しながら本発明の好適な実施の形態について詳細に説明する。
図１は、本発明の一実施の形態によるタイマー予約録画設定装置が設けられる番組記録装置のブロック図である。
【００１６】
番組記録装置１０は、制御装置１１、操作部１２、表示部１３、チューナ部１４、及び記録媒体の読取手段としてのＤＶＤレコーダ１５を備える。
制御装置１１は、ＣＰＵ，ＲＯＭ，ＲＡＭ，タイマー等を備えたマイクロコンピュータによって構成されている。
そして、タイマー予約録画設定装置１は、番組記録装置１０の制御装置１１の一機能部分としてとして構成されている。
【００１７】
ＤＶＤレコーダ１５には、番組予約録画情報が記録されたＤＶＤディスク１６が装填され、ＤＶＤレコーダ１５によって読み取られた番組予約録画情報は、制御装置１１内のタイマー予約録画設定装置１に供給される構成になっている。
なお、ＤＶＤディスク１６には、本例の場合、最大８つのタイマー予約録画（以下、単に「予約」と称する）が、番組予約録画情報として記録されている。
【００１８】
次に、この番組記録装置１０に設けられたタイマー予約録画設定装置１の構成について図面とともに説明する。
図２は、本発明に係る第１の実施の形態によるタイマー予約録画設定装置の制御構成を示したフローチャートである。
【００１９】
タイマー予約録画設定装置１は、ＤＶＤレコーダ１５によってＤＶＤディスク１６に番組予約録画情報として記録された予約データを読み込む（ステップＳ１１）。タイマー予約録画設定装置１は、この予約データの複数の予約の中から、これから判断する１つの予約を取り出し、予約Ｎｏ．として“１”を設定する（ステップＳ１２）。
【００２０】
その上で、タイマー予約録画設定装置１は、この予約Ｎｏ．“１”の予約中に、番組名，曜日又は日付，予約チャンネル，予約録画開始時刻，予約録画終了時刻といった予約情報が保存されているか否かを確認する（ステップＳ１３）。
【００２１】
そして、この予約Ｎｏ．“１”の予約中に予約情報が保存されていない場合は、残りの予約データの中から、次に判断する１つの予約を取り出し、次の予約Ｎｏを設定した上（ステップＳ１４）、予約情報が保存されているか否かの確認処理を行う（ステップＳ１３）。
【００２２】
一方、上述のステップＳ１３で示した予約情報保存の確認処理において予約情報の保存が確認された場合は、タイマー予約録画設定装置１は、予約チャンネルが存在するか否かの予約チャンネル処理を行う（ステップＳ１５）。タイマー予約録画設定装置１は、この予約チャンネル処理では、予約チャンネルに対応する、チューナ部１４の選局用チャンネルデータが存在するか否かで確認する。そして、タイマー予約録画設定装置１は、予約チャンネルが存在する場合には、表示部１３に予約チャンネルとしての受信したチャンネルデータの表示を行うのに対し（ステップＳ１６）、予約チャンネルが存在しない場合は、表示部１３に予約チャンネルとして、受信したチャンネルデータの代わりに“−−”を表示する（ステップＳ１７）。これにより、ユーザは、予約の確認のために表示部１３を眺めていれば、チャンネルデータが表す数字以外のものが表示されるので、当該予約が予約チャンネルとしてタイマー予約録画設定装置１によって設定されなかったことを理解できる。
【００２３】
その後、タイマー予約録画設定装置１は、全ての予約Ｎｏ．について、その予約チャンネルに対応して選局用チャンネルデータが存在するか否かの判断が完了したか否かを確認する（ステップＳ１８）。この結果、判断が終わっていない残りの予約データがあれば、ステップＳ１４の処理に戻る一方、判断が完了していれば、ＯＳＤ（Ｏｎ  Ｓｃｒｅｅｎ  Ｄｉｓｐｌａｙ）で全予約データを図示せぬモニタ画面上等に表示する（ステップＳ１９）。
【００２４】
本実施の形態のタイマー予約録画設定装置１は以上のように構成され、予約の中に、チューナ部１４の選局用チャンネルデータに未登録のチャンネルがあれば、表示部１３に予約チャンネルの数字とは違った“−−”として表示されるから、ユーザは未登録チャンネルの存在を容易に確認することができる。
【００２５】
図３は、本発明に係る第２の実施の形態によるタイマー予約録画設定装置の制御構成を示したフローチャートである。
タイマー予約録画設定装置１は、ＤＶＤレコーダ１５によってＤＶＤディスク１６に番組予約録画情報として記録された予約データを読み込む（ステップＳ２１）。タイマー予約録画設定装置１は、この予約データの複数の予約の中から、これから判断する１つの予約を取り出し、予約Ｎｏ．として“１”を設定する（ステップＳ２２）。
【００２６】
その上で、タイマー予約録画設定装置１は、この予約Ｎｏ．“１”の予約中に、番組名，曜日又は日付，予約チャンネル，予約録画開始時刻，予約録画終了時刻といった予約情報が保存されているか否かを確認する（ステップＳ２３）。
【００２７】
そして、この予約Ｎｏ．“１”の予約中に予約情報が保存されていない場合は、残りの予約データの中から、次に判断する１つの予約を取り出し、次の予約Ｎｏ．を設定した上（ステップＳ２４）、予約情報が保存されているか否かの確認処理を行う（ステップＳ２３）。
【００２８】
一方、上述のステップＳ２３で示した予約情報保存の確認処理において予約情報の保存が確認された場合は、タイマー予約録画設定装置１は、予約チャンネルが存在するか否かの予約チャンネル処理を行う（ステップＳ２５）。タイマー予約録画設定装置１は、この予約チャンネル処理では、予約チャンネルに対応する、チューナ部１４の選局用チャンネルデータが存在するか否かで確認する。そして、タイマー予約録画設定装置１は、予約チャンネルが存在する場合には、その予約実行範囲内であるか否かを確認し（ステップＳ２６）、予約実行範囲内であればその予約録画を実行し（ステップＳ２７）、予約実行範囲内でなければ、全ての予約Ｎｏ．について、その予約チャンネルに対応して選局用チャンネルデータが存在するか否かの判断が完了したか否かを確認する（ステップＳ２８）。この結果、判断が終わっていない残りの予約データがあれば、ステップＳ２４の処理に戻る一方、判断が完了していれば、チャンネル予約設定１は、その作業を終える。
【００２９】
本実施の形態のタイマー予約録画設定装置１は以上のように構成され、予約の中に、チューナ部１４の選局用チャンネルデータに未登録のチャンネルがあれば、その予約は実行しない。
【００３０】
図４は、本発明に係る第３の実施の形態によるタイマー予約録画設定装置の制御構成を示したフローチャートである。
【００３１】
タイマー予約録画設定装置１は、ＤＶＤレコーダ１５によってＤＶＤディスク１６に番組予約録画情報として記録された予約データを読み込む（ステップＳ３１）。タイマー予約録画設定装置１は、この予約データの複数の予約の中から、これから判断する１つの予約を取り出し、予約Ｎｏ．として“１”を設定する（ステップＳ３２）。
【００３２】
その上で、タイマー予約録画設定装置１は、この予約Ｎｏ．“１”の予約中に、番組名，曜日又は日付，予約チャンネル，予約録画開始時刻，予約録画終了時刻といった予約情報が保存されているか否かを確認する（ステップＳ３３）。
【００３３】
そして、この予約Ｎｏ．“１”の予約中に予約情報が保存されていない場合は、残りの予約データの中から、次に判断する１つの予約を取り出し、次の予約Ｎｏ．を設定した上（ステップＳ３４）、予約情報が保存されているか否かの確認処理を行う（ステップＳ３３）。
【００３４】
一方、上述のステップＳ３３で示した予約情報保存の確認処理において予約情報の保存が確認された場合は、タイマー予約録画設定装置１は、予約チャンネルが存在せず、表示部１３に予約チャンネルとして、受信したチャンネルデータの代わりに“−−”が表示されているか否かを判別する（ステップＳ３５）。
【００３５】
そして、タイマー予約録画設定装置１は、受信したチャンネルデータの代わりに“−−”が表示されている場合は、予約チャンネルに該当する、チューナ部１４の選局用チャンネルデータが新たに存在するか否かを確認する（ステップＳ３６）。これに対し、ステップＳ３５で、表示部１３に予約チャンネルとして受信したチャンネルデータの代わりに“−−”が表示されていない場合は、ステップＳ３６で、チューナ部１４の選局用チャンネルデータが新たに存在しない場合は、ステップＳ３４の処理に戻る。
【００３６】
一方、ステップＳ３６で、予約チャンネルに該当する、チューナ部１４の選局用チャンネルデータが新たに存在することが確認された場合は、タイマー予約録画設定装置１は、表示部１３に予約チャンネルとしてのディスク１６に登録され、ＤＶＤレコーダ１５から受信したタイマー予約データ内のチャンネルデータの表示を行い（ステップＳ３７）、全ての予約Ｎｏ．について、その予約チャンネルに対応して選局用チャンネルデータが存在するか否かの判断が完了したか否かを確認する（ステップＳ３８）。この結果、判断が終わっていない残りの予約データがあれば、ステップＳ３４の処理に戻る一方、判断が完了していれば、タイマー予約録画設定装置１は、その作業を終える。
【００３７】
本実施の形態のタイマー予約録画設定装置１は以上のように構成され、予約の中に、チューナ部１４の選局用チャンネルデータに未登録のチャンネルが予約設定されていた場合、ユーザが、チューニング設定で、予約設定されているチャンネルを未登録から登録にした場合には、その予約チャンネルを復活させることができる。
なお、本発明のタイマー予約録画設定装置１は、上記実施の形態に限定されるものではない。
【００３８】
【発明の効果】
以上のように、本発明によれば、記録媒体に番組予約録画情報として記録されている予約チャンネルが、番組記録装置（タイマー予約録画設定装置１）に備えられている選局用チャンネルデータと異なる場合には、ユーザに案内するため、所望の番組が録画できなかったり、所望の番組と全く違った番組が記録されてしまうのを未然に防ぐことができる。
また、記録媒体に番組予約録画情報として記録されている予約チャンネルが、番組記録装置（タイマー予約録画設定装置１）に備えられている選局用チャンネルデータと異なる場合には、その予約チャンネルについての予約録画は実行されないから、さらに安全である。
【００３９】
また、未登録のチャンネルが予約設定されていた場合、ユーザが、チューニング設定で、予約設定されているチャンネルを未登録から登録にした場合は、その予約チャンネルを復活させることができる。
【図面の簡単な説明】
【図１】本発明の一実施の形態によるタイマー予約録画設定装置が設けられた番組記録装置のブロック図である。
【図２】本発明に係る第１の実施の形態によるタイマー予約録画設定装置の制御構成を示したフローチャートである。
【図３】本発明に係る第２の実施の形態によるタイマー予約録画設定装置の制御構成を示したフローチャートである。
【図４】本発明に係る第３の実施の形態によるタイマー予約録画設定装置の制御構成を示したフローチャートである。
【符号の説明】
１  タイマー予約録画設定装置
１０  番組記録装置
１１  制御装置
１２  操作部
１３  表示部
１４  チューナ部
１５  ＤＶＤレコーダ
１６  ＤＶＤディスク
【図１】
2004236206.tif 000003
【図２】
2004236206.tif 000004
【図３】
2004236206.tif 000005
【図４】
2004236206.tif 000006